(57)【要約】【課題】異なるファイルシステムでアクセスされる複数の情報記録領域を備える情報記録媒体を用いる際に、使用されている領域を認識可能にする。【解決手段】異なるファイルシステムにより管理される複数の情報記録領域５０６を有する情報記録媒体５０７に対して、表示制御部５０２と記録媒体制御部５０３により領域を切り替え、情報記録媒体５０７からの、使用されている情報記録領域５０６を明確に通知するための情報を表示部５０１に表示する。また、領域が切り替わったことを表示の形態や音や光などでユーザに通知するための領域切替通知部５０８を備える。【選択図】図５
2005182770.tif 000002
【特許請求の範囲】
【請求項１】
個々のファイルシステムにより管理される複数の情報記録領域を有する情報記録媒体にアクセスする使用領域通知装置であって、
前記情報記録媒体にアクセスする情報記録領域を切り替える記録媒体制御部と、
切り替えた前記情報記録領域をアクセス可能な領域として、前記複数の情報記録領域の情報を表示する表示制御部とを備えた使用領域通知装置。
【請求項２】
前記表示制御部は、
前記複数の情報記録領域から選択された特定の領域の情報を表示する請求項１記載の使用領域通知装置。
【請求項３】
前記表示制御部は、複数の情報記録領域を階層的に表示させる請求項１記載の使用領域通知装置。
【請求項４】
前記情報記録媒体の情報記録領域に関する情報を格納する領域情報用メモリを備えた請求項１記載の使用領域通知装置。
【請求項５】
前記情報記録領域の切り替え時に、使用する情報記録領域が切り替わったことを通知する領域切替通知部を備えた請求項１記載の使用領域通知装置。
【請求項６】
前記領域切替通知部は、前記複数の情報記録領域間でデータを移動及びコピーする際に、データの転送先のファイルシステムが転送元のファイルシステムと異なる場合、その旨を通知する請求項５記載の使用領域通知装置。
【請求項７】
前記情報記録媒体の情報記録領域に関する情報を格納する領域情報用メモリを備え、
前記領域切替通知部は、前記複数の情報記録領域間でデータを移動及びコピーする際に、前記領域情報用メモリを参照し、データの転送先のファイルシステムが転送元のファイルシステムと異なる場合、その旨を通知する請求項５記載の使用領域通知装置。
【請求項８】
前記領域切替通知部は、前記情報記録媒体に備えられている請求項５記載の使用領域通知装置。
【請求項９】
前記領域切替通知部は、前記情報記録媒体に接続するアダプタに備えられている請求項５記載の使用領域通知装置。
【請求項１０】
前記領域切替通知部は、情報記録領域が切り替わる毎に表示の態様を変更する請求項５記載の使用領域通知装置。
【請求項１１】
前記領域切替通知部は、情報記録領域が切り替わったことを色の変化によって通知する請求項１０記載の使用領域通知装置。
【請求項１２】
前記領域切替通知部は、情報記録領域が切り替わったことを光の変化によって通知する請求項１０記載の使用領域通知装置。
【請求項１３】
前記領域切替通知部は、情報記録領域が切り替わったことを音によって通知する請求項１０記載の使用領域通知装置。
【請求項１４】
個々のファイルシステムにより管理される複数の情報記録領域を有する情報記録媒体にアクセスする使用領域通知装置における使用領域の通知方法であって、
前記情報記録媒体にアクセスする前記情報記録領域を切り替える媒体制御ステップと、
切り替えた前記情報記録領域をアクセス可能な領域として、前記複数の情報記録領域の情報を表示させる表示制御ステップとを備えた使用領域通知方法。
【請求項１５】
前記表示制御ステップは、
前記複数の情報記録領域から特定の領域を選択して情報を表示させる請求項１４記載の使用領域通知方法。
【請求項１６】
前記表示制御部は、複数の情報記録領域を階層的に表示させる請求項１４記載の使用領域通知装置。
【請求項１７】
領域情報用メモリに情報記録領域に関する情報を格納するステップを備えた請求１４記載の使用領域通知方法。
【請求項１８】
前記複数の情報記録領域の切り替え時に、使用する情報記録領域が切り替わったことを通知する領域切替通知ステップを備えた請求項１４記載の使用領域通知方法。
【請求項１９】
前記領域切替通知ステップは、前記複数の情報記録領域間でデータを移動及びコピーする際に、データの転送先のファイルシステムが転送元のファイルシステムと異なる場合、その旨を通知する請求項１８記載の使用領域通知方法。
【請求項２０】
領域情報用メモリに情報記録領域に関する情報を格納するステップを備え、
前記領域切替通知ステップは、前記複数の情報記録領域間でデータを移動及びコピーする際に、前記領域情報用メモリを参照し、データの転送先のファイルシステムが転送元のファイルシステムと異なる場合、その旨を通知する請求項１８記載の使用領域通知方法。
【請求項２１】
前記領域切替通知ステップは、情報記録領域が切り替わる毎に表示の態様を変更する請求項１８記載の使用領域通知方法。
【請求項２２】
前記領域切替通知ステップは、情報記録領域が切り替わったことを色の変化によって通知する請求項２１記載の使用領域通知方法。
【請求項２３】
前記領域切替通知ステップは、情報記録領域が切り替わったことを光の変化によって通知する請求項２１記載の使用領域通知方法。
【請求項２４】
前記領域切替通知ステップは、情報記録領域が切り替わったことを音によって通知する請求項２１記載の使用領域通知方法。
【請求項２５】
使用領域通知方法をコンピュータで実行可能なプログラムとして記録した、コンピュータで読み取り可能な記録媒体であって、
前記使用領域通知方法は、
個々のファイルシステムにより管理される複数の情報記録領域を有する情報記録媒体にアクセスする使用領域通知装置における使用領域通知方法であり、
前記情報記録媒体にアクセスする前記情報記録領域を切り替える媒体制御ステップと、
切り替えた前記情報記録領域をアクセス可能な領域として、前記複数の情報記録領域の情報を表示させる表示制御ステップとを備えた記録媒体。
【発明の詳細な説明】
【技術分野】
【０００１】
本発明は、複数の情報記録領域を有する情報記録媒体の情報の表示に係る使用領域通知装置、使用領域通知方法およびそのプログラムを記録した記録媒体に関するものである。
【背景技術】
【０００２】
従来、半導体メモリや磁気ディスク、光磁気ディスクなどの情報記録媒体の情報記録領域に格納されたデータの管理は、所定のファイルシステムにより実現されている。
【０００３】
従来使用されているファイルシステムとして、ＦＡＴファイルシステムが一例に挙げられる（“Ｉｎｆｏｍａｔｉｏｎ  Ｔｅｃｈｎｏｌｏｇｙ−Ｖｏｌｕｍｅ  ａｎｄ  ｆｉｌｅ  ｓｔｒｕｃｔｕｒｅ  ｏｆ  ｄｉｓｋ  ｃａｒｔｒｉｄｇｅｓ  ｆｏｒ  ｉｎｆｏｒｍａｔｉｏｎ”、１９９４）。ＦＡＴファイルシステムはパソコンなどの情報機器で一般に用いられているファイルシステムであり、ファイルを構成するデータの物理的な格納位置をＦＡＴ（Ｆｉｌｅ  Ａｌｌｏｃａｔｉｏｎ  Ｔａｂｌｅ）テーブルと呼ばれるテーブルにより一元管理するという特徴を持つ。ＦＡＴファイルシステムのようなファイルシステムによりデータ管理された情報記録媒体は、同一のファイルシステムを解釈する機器間でファイルを共有することができるため、機器間でデータを授受することが可能となる。
【０００４】
しかしながら、ファイルシステムにはＦＡＴファイルシステムの他に、ＦＡＴ３２ファイルシステムやＮＴＦＳ（ＮＴ  Ｆｉｌｅ  Ｓｙｓｔｅｍ）、ＵＤＦ（Ｕｎｉｖｅｒｓａｌ  Ｄｉｓｋ  Ｆｏｒｍａｔ）などが存在する。また、各機器が解釈するファイルシステムも様々であり、同じ情報記録媒体を複数の機器で共有した場合でも、データを記録するファイルシステムが異なれば、機器間でデータを授受することができなくなる。
【０００５】
この問題を解決するためには、情報記録媒体に２つ以上のファイルシステムを構築することにより、各機器間でデータの互換性を維持する方法が考えられる。例えば、情報記録媒体内の情報記録領域を異なるファイルシステムにより管理される複数の領域に分割し、情報記録媒体に各領域の開始位置や大きさなどの情報を複数格納する領域情報格納部を備えることにより、この情報記録媒体の外部から入力されるコマンドで、領域情報格納部に含まれる複数の領域情報の内、その機器が解釈可能な領域を選択し、外部からアクセスすることが可能となる。
【０００６】
また、情報記録媒体にデジタル著作物を格納する場合には、著作権保護のためにデジタル著作物を暗号化鍵で暗号化することが一般に行われている。この暗号化において用いられる暗号化鍵は、ユーザが容易に閲覧できない形で格納されていることが多い。例えば、特許文献１に示されるように、記録媒体内に暗号化を解くときに相互認証を必要とする領域（以下、認証領域という）を設け、この領域に暗号化鍵を格納することで保護する方法が提案されている。
【特許文献１】特開２００３−２３３７９５公報
【発明の開示】
【発明が解決しようとする課題】
【０００７】
しかしながら、上記の従来技術には次のような問題点がある。
異なるファイルシステムでアクセスされる複数の情報記録領域を備える情報記録媒体では、ファイルシステムの切り替えを行いながら情報へのアクセスを行う必要があるが、一つの情報記録媒体中に保持されている複数の情報記録領域を一覧する手段がなく、情報記録媒体全体を把握することができない。
【０００８】
また、複数の情報記録領域を備える情報記録媒体上の記録情報を取り扱う場合、ユーザが領域を意識しながら使用する必要がある場合に、通常、パソコンなどの情報記録媒体の内容を表示する機器において、情報記録領域の違いを知ることはできない。
【０００９】
さらに、デジタル著作物の著作権保護に対応した情報記録媒体は、認証領域が複数に分けられて情報が格納されていても、通常、パソコンなどの情報記録媒体の内容を表示する機器において、認証領域の違いを知ることはできない。
【００１０】
本発明では上記問題点に鑑み、個々のファイルシステムでアクセスされる複数の情報記録領域を備える情報記録媒体や、認証領域が複数に分けられて情報が格納される情報記録媒体に対し、アクセス手段が異なることをユーザに通知する使用領域通知装置および使用領域通知方法を提供する。
【課題を解決するための手段】
【００１１】
本発明は個々のファイルシステムにより管理される複数の情報記録領域を有する情報記録媒体にアクセスする使用領域通知装置であって、前記情報記録媒体にアクセスする情報記録領域を切り替える記録媒体制御部と、切り替えた前記情報記録領域をアクセス可能な領域として、前記複数の情報記録領域の情報を表示する表示制御部とを備える。
【００１２】
本発明は個々のファイルシステムにより管理される複数の情報記録領域を有する情報記録媒体にアクセスする使用領域通知装置における使用領域の通知方法であって、前記情報記録媒体にアクセスする前記情報記録領域を切り替える媒体制御ステップと、切り替えた前記情報記録領域をアクセス可能な領域として、前記複数の情報記録領域の情報を表示させる表示制御ステップとを備える。
【発明の効果】
【００１３】
本発明の使用領域通知装置および使用領域通知方法によれば、１つの情報記録媒体に存在する複数の情報記録領域の内容を一覧することができる。
【発明を実施するための最良の形態】
【００１４】
（実施例１）
図１は、本発明の実施例１における情報表示装置、及び情報記録媒体の構成を示すブロック図である。図１において、情報表示装置１００は使用領域通知装置として動作するものであり、表示部１０１、表示制御部１０２、記録媒体制御部１０３を含む。情報記録媒体１０７はコマンド受信部１０４、アクセス領域判定部１０５、１〜Ｎ（Ｎは２以上の整数）の情報記録領域から成る情報記録領域１０６を含む。
【００１５】
このように構成された情報表示装置及び情報記録媒体の各ブロックについて説明する。
表示制御部１０２は、情報を表示すべき領域を指定し、この領域に係るデータを記録媒体制御部１０３へ出力する。記録媒体制御部１０３は、表示制御部１０２から指定された領域へアクセスするために領域を切り替えるコマンドを発行し、情報記録媒体１０７のコマンド受信部１０４へ出力する。
【００１６】
コマンド受信部１０４は記録媒体制御部１０３からコマンドを受け取るものであり、アクセス領域判定部１０５は領域切り替えのコマンドをもとにアクセス領域を判定する。情報記録媒体１０７はアクセス領域判定部１０５の判定結果をもとに、情報記録領域１０６の指定された領域の情報を読み込み、情報記録媒体１０７から情報表示装置１００へ出力する。情報記録媒体１０７から得られた領域の情報は、表示制御部１０２により指定された表示方法で表示部１０１に表示される。
【００１７】
図２は、本発明の実施例１における情報記録媒体１０７の情報記録領域の概念図である。図２では、２つの異なるファイルシステムにより管理される情報記録領域の例を示している。図２に示す情報記録領域１０６は、ＦＡＴ１６ファイルシステムにより管理される情報記録領域２０１と、ＦＡＴ３２ファイルシステムにより管理される情報記録領域２０２を含んでいる。一方の領域から他方の領域にアクセスを切り替えるためには、情報記録媒体１０７の外部からアクセス領域を切り替えるコマンドを送り、領域を切り替えなければならない。
【００１８】
図３は、表示部１０１に表示される情報記録領域の表示例である。図３において、３０１にはＦＡＴ３２ファイルシステムにより管理される情報記録領域２０２（領域Ｂ）に格納されたフォルダを表示している。３０２にはＦＡＴ１６ファイルシステムにより管理される情報記録領域２０１（領域Ａ）に格納されたフォルダを表示している。図３においては、ＦＡＴ３２ファイルシステムにより管理される情報の中に、ＦＡＴ１６ファイルシステムにより管理される情報を、一つのフォルダ（図中の領域Ａ）の中にまとめて表示する例を示している。
【００１９】
図４は、本発明の実施例１における使用領域通知装置及び記録媒体の動作を示すフローチャートである。以下、図４を用いて、本実施例における使用領域通知装置及び記録媒体の動作を説明する。
【００２０】
例えば、記録情報の一覧を表示するアプリケーションプログラムを実行する場合について説明する。この場合まずＦＡＴ３２ファイルシステムにより管理される情報記録領域に格納されている情報の一覧を取得するものとする。まず、表示制御部１０２は表示する領域を指定し、記録媒体制御部１０３より情報記録媒体１０７に対しアクセス領域の切り替えを要求する切り替えコマンドを出す（Ｓ４０１）。アプリケーション内の所定の制御により表示制御部１０２でＦＡＴ３２ファイルシステムを指定し、記録媒体制御部１０３から記録媒体１０７のコマンド受信部１０４に、情報記録領域２０２への切り替えコマンドを送信する。
【００２１】
情報記録媒体１０７では、コマンド受信部１０４が情報記録領域２０２への切り替えコマンドを受信すると、アクセス領域を切り替える（Ｓ４０２）。次に、アクセス領域判定部１０５によって領域を判定し、情報記録領域１０６のＦＡＴ３２ファイルシステムにより管理される記録領域２０２に記録されている情報を取得し、情報記録媒体１０７から情報表示装置１００へ出力する（Ｓ４０３）。情報記録媒体１０７から取得された領域情報は、表示制御部１０２で決められた表示方法で表示部１０１に表示される（Ｓ４０４）。表示部１０１では、例えば、図３の３０１に示すように、記録情報の一覧が木構造で表示される。
【００２２】
次に、同様にアプリケーションでＦＡＴ１６ファイルシステムにより管理される情報記録領域に格納されている情報の一覧を取得する。このときには表示制御部１０２でＦＡＴ１６ファイルシステムを指定し、Ｓ４０１からＳ４０４のステップを再度実行する。Ｓ４０４では、例えば図３の３０２に示すように、ＦＡＴ３２ファイルシステムにより管理される情報の中に、ＦＡＴ１６ファイルシステムにより管理される情報を、一つのフォルダの中にまとめて表示する。こうすれば異なったファイルシステムで管理される情報を同時に表示することができる。
【００２３】
なお、本実施例ではファイルシステムとしてＦＡＴ３２とＦＡＴ１６の２つにより管理される２つの情報記録領域を備えた情報記録媒体を挙げたが、ファイルシステムとしては、この２つに限らず、ＮＴＦＳやＵＤＦ、その他独自のファイルシステムであっても構わない。また、情報記録領域も２つに限らず、複数であれば、ファイルシステムを切り替えながらＳ４０１からＳ４０４を繰り返すことで同様のことが実現可能である。
【００２４】
また、複数の情報記録領域が同じファイルシステムで管理される領域であっても構わない。これは１つのファイルシステム、例えばＦＡＴ１６ファイルシステムで取り扱うことができる容量に例えば２ＧＢと制限がある場合に、ＦＡＴ１６ファイルシステムの最大限の容量を持つ複数の領域を同じ情報記録媒体に持つ場合が考えられる。
【００２５】
また、本実施例では、情報表示装置１００が、情報記録媒体１０７に存在する全ての情報記録領域１０６にアクセスが可能な例を挙げたが、複数の情報記録領域の内、装置としてアクセス可能な領域のみを選択して表示しても構わない。例えば、ＦＡＴ１６ファイルシステムのみを持つ情報表示装置であれば、図２の情報記録領域２０１の情報（図３の３０２の領域）のみを表示し、ＦＡＴ１６、ＦＡＴ３２の両ファイルシステムを持つ情報表示装置であれば、図３の３０１および３０２の両領域情報を表示する。または、両ファイルシステムを持つ情報表示装置であっても、表示制御部１０２で故意にどちらかの領域のみを表示することを選択し、任意の領域へのアクセスを制限することも可能である。
【００２６】
また、本実施例では情報記録領域を階層的に表示している。即ち、ＦＡＴ３２ファイルシステムにより管理される情報の中に、ＦＡＴ１６ファイルシステムにより管理される情報を、一つのフォルダの中にまとめて表示している。これと異なり、ＦＡＴ１６ファイルシステムにより管理される情報をＦＡ３２ファイルシステムにより管理される情報と同レベル（木構造の一つ上のレベル）に置くようにしても良い。また、領域内の情報を表示するのであれば、木構造を取らず、アイコンを並べた表示方法やその他の表示方法であっても良い。
【００２７】
また本実施例では情報表示装置１００からのコマンドによってアクセス領域を切替えているが、情報記録媒体にメカニカルスイッチを設け、このスイッチを情報表示装置側から切替えるようにしてもよい。
【００２８】
以上のように、情報記録領域を切り替えながら領域情報を取得し、取得した情報を所望の方法で表示することにより、個々のファイルシステムにより管理される複数の情報記録領域を有する情報記録媒体であっても、複数の記録領域の情報を表示することが可能となる。同じファイルシステムにより管理される領域が複数ある場合にも、複数の記録領域の情報を表示することができる。
【００２９】
（実施例２）
図５は、本発明の実施例２による情報表示装置及び情報記録媒体の構成を示すブロック図である。図５において、構成要素５００から５０７は、図１に示す構成要素１００から１０７に相当するものである。実施例２と実施例１との異なる点は、情報表示装置５００内に領域切替通知部５０８を備える点である。
【００３０】
このように構成された使用領域通知装置としての情報表示装置５００の各ブロックについて説明する。表示制御部５０２は表示領域を指定し、記録媒体制御部５０３へその旨の情報を出力する。記録媒体制御部５０３は、表示制御部５０２から指定された領域へアクセスを行うために領域を切り替えるコマンドを発行し、情報記録媒体５０７のコマンド受信部５０４へ出力する。領域切替通知部５０８では、情報記録領域５０６中のアクセス領域が切り替わったことが通知されると、その情報をユーザに通知するものである。
【００３１】
一方情報記録媒体５０７のコマンド受信部５０４は記録媒体制御部５０３から領域切り替えのコマンドを受け取り、情報記録領域５０６中のアクセス領域が切り替わると、情報記録媒体５０７は情報記録装置５００に領域が切り替わったことを通知するものである。アクセス領域判定部５０５では、コマンド受信部５０４で記録媒体制御部５０３から受け取った領域切り替えのコマンドをもとにアクセス領域を判定する。情報記録媒体５０７はアクセス領域判定部５０５の判定結果をもとに、情報記録領域５０６の指定された領域の情報を読み込み、情報記録媒体５０７から情報表示装置５００へ出力する。情報記録媒体５０７から得られた領域の情報は、表示制御部５０２により指定された表示方法で表示部５０１に表示される。実施例２における、情報記録媒体５０７の情報記録領域の概念図は、実施例１と同様に図２を使用する。
【００３２】
図６は、本発明の実施例における使用領域通知装置及び情報記録媒体の動作を示すフローチャートである。例えば、記録情報の一覧を表示するアプリケーションでＦＡＴ１６ファイルシステムにより管理されている情報記録領域に格納されている情報にアクセスした後に、ＦＡＴ３２ファイルシステムにより管理される情報記録領域に格納されている情報の一つにアクセスする場合について説明する。この場合、先ず、表示制御部５０２で、表示領域を指定する。記録媒体制御部５０３は情報記録媒体５０７に対しアクセス領域の切り替え要求を出す（Ｓ６０１）。表示制御部５０２はＦＡＴ３２ファイルシステムを指定し、記録媒体制御部５０３から情報記録媒体５０７に、ＦＡＴ３２ファイルシステムにより管理される情報記録領域への切り替えコマンドを送信する。
【００３３】
情報記録媒体５０７は、コマンド受信部５０４でＦＡＴ３２ファイルシステムへの切り替えコマンドを受信すると、アクセス領域を切り替える（Ｓ６０２）。アクセス領域を切り替えると、情報記録媒体５０７は情報記録装置５００に領域が切り替わったことを通知する。領域切替通知部５０８では、情報記録領域５０６中のアクセス領域が切り替わったことが通知されると、その情報をユーザに通知する（Ｓ６０３）。例えば、既に表示部５０１において図７のように領域内に記録された情報の一覧が表示されており、領域３０１に示されたデータ・フォルダ１にアクセスしたとすると、ハッチングで示すように領域３０１のアイコンの色を使用されていることを示す色に変え、領域３０２に示されるアイコンの色を使用されていないことを示す色に変える。
【００３４】
次に、アクセス領域判定部５０５によって領域が判定されると、情報記録媒体５０７は情報記録領域５０６のＦＡＴ３２ファイルシステムにより管理される記録領域（図２の２０２）に記録されている情報を取得し、情報表示装置５００へ出力する（Ｓ６０４）。情報記録媒体５０７から取得されたデータは、表示制御部５０２で決められた表示方法で表示部５０１に表示される（Ｓ６０５）。表示部５０１では、例えば、図３の３０１に示すように、情報が木構造で表示される。
【００３５】
なお、上記例ではファイルシステムとしてＦＡＴ３２とＦＡＴ１６の２つにより管理される２つの情報記録領域を備えた情報記録媒体を挙げた。ファイルシステムとしては、この２つに限らず、ＮＴＦＳやＵＤＦ、その他独自のファイルシステムであっても構わない。また、情報記録領域も２つに限らず、整数個（複数）であれば、ファイルシステムを切り替えながら図６に示す各ステップを繰り返し実行することで同様のことが実現可能である。また、複数の情報記録領域が同じファイルシステムで管理される領域であっても構わない。
【００３６】
また、上記例では情報記録媒体に存在する全ての情報記録領域にアクセスが可能な例を挙げたが、複数の情報記録領域の内、装置としてアクセス可能な領域のみを選択して表示しても構わない。例えば、ＦＡＴ１６ファイルシステムのみを持つ情報表示装置であれば、図３の領域３０２のみを表示し、ＦＡＴ１６、ＦＡＴ３２の両ファイルシステムを持つ情報表示装置であれば、図３の両領域３０１および３０２を表示する。または、両ファイルシステムを持つ情報表示装置であっても、表示制御部５０２で故意にどちらかの領域のみを表示することを選択し、任意の領域へのアクセスを制限することも可能である。
【００３７】
また、本実施例では情報記録領域の表示において、ＦＡＴ３２ファイルシステムにより管理される情報の中に、ＦＡＴ１６ファイルシステムにより管理される情報を、一つのフォルダの中にまとめて表示している。しかしＦＡＴ１６ファイルシステムにより管理される情報がＦＡ３２ファイルシステムにより管理される情報と同レベル（木構造の一つ上のレベル）に置いても良い。また、領域内の情報が表示されるのであれば、木構造を取らず、アイコンを並べた表示方法やその他の表示方法であっても良い。
【００３８】
また、本実施例では領域切替通知部５０８は、Ｓ６０３において表示部５０１でアイコンの色を変更することで通知するものとしているが、領域が切り替わったことを知らせる方法であれば、これに限るものではない。アイコンの形を変えたり、フォルダ、ファイル名のフォントや色、太さを変えてもよく、情報を追記してもよい。又表示領域の背景を変更したり、切り替え時にダイアログを表示させたり、音を出したりしても良い。更に、領域切替通知部５０８は、情報表示装置５００の設けられたアクセスランプとし、領域切り替え時に光の色や点滅で通知しても良い。
【００３９】
また、本実施例では領域切替通知部５０８は情報表示装置５００内に存在するが、領域が切り替わったことを知らせることができれば、情報記録媒体５０７内にあってもよい。例えば、情報記録媒体上にアクセスランプや表示部が存在して、光の色や点滅などで通知する方法や、情報記録媒体上に音発生部が存在して、音声により領域が切り替わったことを通知する方法なども考えられる。又領域通知部５０８は情報表示装置５００や情報記録媒体５０７の外部にあっても構わない。例えば、情報表示装置５００がパソコンで、情報記録媒体５０７が半導体メモリカードであるとすると、半導体メモリカード用のアダプタにアクセスランプや情報表示部を設けて、領域切り替え時に光の色や点滅で通知する方法が考えられる。領域切替通知部５０８が情報表示装置の外部に存在する場合には、情報表示装置に外部の情報情報切り替え通知部５０８を含めて使用領域通知装置を構成している。
【００４０】
また、図６において、Ｓ６０３のステップはＳ６０５で指定領域情報が表示された後に行っても良い。これらを入れ替えることによって使用記録領域が変更されたことを通知する効果が同じであることは明らかである。
【００４１】
以上のような方法を用いることにより、異なるファイルシステムにより管理される複数の情報記録領域を有する情報記録媒体において、使用記録領域が変更されたことを使用者に通知することが可能となる。
【００４２】
（実施例３）
本発明の実施例３における情報表示装置及び情報記録媒体について説明する。本実施例による情報表示装置及び情報記録媒体の構成を図８に示す。図８において構成要素８００〜８０８は図５に示す構成要素５００〜５０８に相当するものである。実施例３と実施例２との異なる点は、情報記録領域８０６として、認証領域を持っている点であり、又符号化されたデータを復号する認証復号部８０９を有する点である。
【００４３】
このように構成された使用領域通知装置としての情報表示装置の各ブロックについて説明する。表示制御部８０２は表示領域を指定し、記録媒体制御部８０３へその旨の情報を出力する。記録媒体制御部８０３は、表示制御部８０２から指定された領域へアクセスを行うために領域を切り替えるコマンドを発行し、情報記録媒体８０７のコマンド受信部８０４へ出力する。領域切替通知部８０８では、情報記録領域８０６中のアクセス領域が切り替わったことが通知されると、その情報をユーザに通知するものである。又認証復号部８０９はデータ暗号化のための鍵を用いて暗号を復号するものである。
【００４４】
一方情報記録媒体８０７のコマンド受信部８０４は記録媒体制御部８０３から領域切り替えのコマンドを受け取り、情報記録領域８０６中のアクセス領域が切り替わると、情報記録媒体８０７は情報記録装置８００に領域が切り替わったことを通知するものである。アクセス領域判定部８０５では、コマンド受信部８０４で記録媒体制御部８０３から受け取った領域切り替えのコマンドをもとにアクセス領域を判定する。情報記録媒体８０７はアクセス領域判定部８０５の判定結果をもとに、情報記録領域８０６の指定された領域の情報を読み込み、情報記録媒体８０７から情報表示装置８００へ出力する。情報記録媒体８０７から得られた領域の情報は、表示制御部８０２により指定された表示方法で表示部８０１に表示される。
【００４５】
図９は、本実施例における情報記録領域８０６の概念図である。図９Ａは４つの情報記録領域を有し、２つの非認証領域Ａ，Ｂに２つの認証領域ａ，ｂがそれぞれ1対１で対応する例である。非認証領域Ａは例えばＦＡＴ１６システム、非認証領域Ｂは例えばＦＡＴ３２システムで記録されている領域であり、認証領ａ，ｂは夫々異なったファイルシステムで記録されている領域とする。又図９Ｂは３つの情報記録領域を有し、２つの非認証領域Ｃ，Ｄに１つの認証領域ｃが対応する例である。図９Ｃは３つの情報記録領域を有し、１つの非認証領域Ｅに２つの認証領域ｄ，ｅが対応する例である。図９Ｂ，図９Ｃにおいても非認証領域Ｃ，ＥがＦＡＴ１６システム、非認証領域ＤがＦＡＴ３２システムで記録されており、認証領域ｃやｄ，ｅは夫々異なったファイルシステムで記録されているものとする。
【００４６】
図１０は、本発明の実施例３における情報記録領域の表示例である。異なる情報記録領域は異なるドライブとして表示されている。ここで非認証領域Ａと認証領域ａの組み合わせの領域がドライブＡ、非認証領域Ｂと認証領域ｂの組み合わせの領域がドライブＢとして表示される例について説明する。
【００４７】
本発明の実施例３における使用領域通知装置の動作を示すフローチャートを図１１を用いて説明する。例えば、情報記録媒体８０７の情報記録領域８０６が図９Ａのような４つの領域を持っており、記録情報の一覧を表示するアプリケーションで認証領域を用いた暗号化データ（例えば音楽データや映像データなど）の内容を表示するものとする。この場合は、認証を行って認証領域ａ及びｂ内に存在するデータ暗号化のための鍵を取得して暗号を復号しなければならないため、認証領域ａ，ｂにアクセス可能であるファイルシステムを使用する。また、非認証領域Ａにアクセスするために非認証領域Ａ用のファイルシステム、非認証領域Ｂにアクセスするために非認証領域Ｂ用のファイルシステムを使用する。表示制御部８０２では、非認証領域Ａ、非認証領域Ｂのどちらにアクセスするかを指定する。例えば記録媒体制御部８０３から記録媒体８０７のコマンド受信部８０４に、非認証領域Ａと認証領域ａに切り替えコマンドを送信する。先ず、表示制御部８０２で、表示領域が指定され、記録媒体制御部８０３によって情報記録媒体８０７に対しアクセス領域の切り替え要求を出す（Ｓ１１０１）。記録媒体８０７は、コマンド受信部８０４が領域切り替えコマンドを受信すると、アクセス領域を切り替える（Ｓ１１０２）。
【００４８】
アクセス領域が切り替えられると、情報記録媒体８０７は情報記録装置８００に領域が切り替わったことを通知する。領域切替通知部８０８では、情報記録領域８０６中のアクセス領域が切り替わったことが通知されると、その情報をユーザに通知する（Ｓ１１０３）。例えば、情報表示装置８００がスピーカー等の音声出力手段を持つ機器であったとすると、領域を示す名前を音声で読み上げたり、ビープ音を鳴らしたりする。
【００４９】
また他の通知方法として、表示部８０１において、図１０のように領域の一覧がドライブとして表示される場合、ドライブＡがアクセスされるとドライブＡのアイコンの色が使用されていることを示す色に変え、その他のアイコンの色が使用されていないことを示す色に変えるようにしてもよい。
【００５０】
次に、アクセス領域判定部８０５によって領域が判定され、情報記録領域８０６の非認証領域Ａと認証領域ａの組み合わせの領域に記録されている情報が取得され、情報記録媒体８０７から情報表示装置８００へ出力される（Ｓ１１０４）。情報表示装置８００は情報記録媒体８０７から取得されたデータを、表示制御部８０２で決められた表示方法で表示部８０１に表示する（Ｓ１１０５）。例えば、ドライブＡ内の映像データを取得したとする。この場合、認証領域ａの鍵に基づいて映像データを復号して表示部８０１にその映像の情報を表示する。取得したデータが音楽の再生時間であったとすると、表示部８０１にその再生時間やタイトルを表示する。
【００５１】
非認証領域Ｂの記録情報を表示する場合には、非認証領域Ｂと認証領域ｂの夫々への切り替えコマンドを送信して同様の処理を繰り返す。こうすればアクセス領域が切り替えられ、その切り替えられた領域がユーザに通知されると共に、取得した領域の情報を復号して表示することができる。
【００５２】
なお、上記例では非認証領域Ａと認証領域ａ、もしくは非認証領域Ｂと認証領域ｂにより構成される２つの情報記録領域を備えた情報記録媒体を挙げたが、情報記録領域としては、この２つに限らず、その他独自の情報記録領域構成であっても構わない。また、情報記録領域も２つに限らず、複数であれば同様の効果が得られる。
【００５３】
又図９Ｂに示すように２つの非認証領域Ｄ，Ｃと１つの認証領域ｃがある場合には、いずれかの非認証領域が選択されたときにも認証領域ｃを読み出して同様にして表示する。また、複数の情報記録領域が同じファイルシステムで管理される領域であっても構わない。
【００５４】
また、本実施例では情報記録媒体に存在する全ての情報記録領域にアクセスが可能な例を挙げたが、複数の情報記録領域の内、装置としてアクセス可能な領域のみを選択して表示しても構わない。また、本実施例では情報記録領域がドライブとして表示されるものを挙げたが、木構造やその他の表示方法であっても良い。
【００５５】
以上のような方法を用いることにより、異なるファイルシステムにより管理される複数の情報記録領域を有する情報記録媒体における使用記録領域が変更されたことを通知することが可能となる。
【００５６】
（実施例４）
本発明の実施例４における情報表示装置及び情報記録媒体について説明する。本実施例の情報表示装置及び情報記録媒体の構成は、実施例３と同様の図８を使用する。また、情報記録領域の概念図も実施例３と同様の図１０を、動作を示すフローチャートも同様に図１１を用いる。実施例４は、実施例３と同様の構成により実現可能なもう一つの例である。
【００５７】
次に、図８を用いて、本実施例による使用領域通知装置の動作を説明する。先ず、表示制御部８０２で、表示領域が指定され、記録媒体制御部８０３によって情報記録媒体８０７に対しアクセス領域の切り替え要求を出す（Ｓ１１０１）。例えば、情報記録媒体５０７の情報記録領域５０６が図９Ｃのような複数の領域を持っていた場合、非認証領域Ｅに格納された暗号化データにアクセスする場合に、認証領域ｄ内に存在するデータ暗号化のための鍵を用いて暗号化されたデータには、認証領域ｄ用の認証を行ってアクセスする必要がある。又認証領域ｅ内に存在するデータ暗号化のための鍵を用いて暗号化されたデータには、認証領域ｅ用の認証を行ってアクセスする必要がある。アプリケーション内の表示制御部８０２では、認証領域ｄ，認証領域ｅのどちらに存在するデータ暗号化のための鍵を用いて暗号化されたデータにアクセスするかを指定し、記録媒体制御部８０３から記録媒体８０７のコマンド受信部８０４に、非認証領域Ｅと認証領域ｄ、もしくは非認証領域Ｅと認証領域ｅにより構成される情報記録領域への切り替えコマンドを送信する。
【００５８】
記録媒体８０７では、コマンド受信部８０４で領域切り替えコマンドを受信すると、アクセス領域が切り替えられる（Ｓ１１０２）。アクセス領域が切り替えられると、情報記録媒体８０７は情報記録装置８００に領域が切り替わったことを通知する。領域切替通知部８０８では、情報記録領域８０６中のアクセス領域が切り替わったことが通知されると、その情報をユーザに通知する（Ｓ１１０３）。例えば、情報表示装置８００がスピーカーを持つ機器であったとすると、領域を示す名前を音声で読み上げたり、ビープ音を鳴らしたりする。
【００５９】
次に、アクセス領域判定部８０５によって領域が判定され情報記録領域５０６の非認証領域Ｅと認証領域ｄ、もしくは非認証領域Ｅと認証領域ｅの組み合わせの領域に記録されている情報が取得され、情報記録媒体８０７から情報表示装置８００へ出力される（Ｓ１１０４）。情報記録媒体８０７から取得されたデータは、認証復号部８０９で復号され（Ｓ１１０５）、表示制御部８０２で決められた表示方法で表示部８０１に表示される（Ｓ１１０６）。例えば、非認証領域Ｅと認証領域ｄの組み合わせの領域に記録されている情報を図１０のドライブＣとして、非認証領域Ｅと認証領域ｅの組み合わせの領域に記録されている情報を図１０のドライブＤとして表示する。
【００６０】
以上のような方法を用いることにより、同じファイルシステムにより管理される複数の異なる認証領域を有する情報記録媒体において表示を分けることで使用領域を通知することが可能となる。また、ビープ音を鳴らすことにより、使用記録領域が変更されたことを通知することが可能となる。
【００６１】
（実施例５）
図１２は、本発明の実施例５による情報表示装置及び情報記録媒体の構成を示すブロック図である。図１２に示す構成要素１２００から１２０８は、実施例２における図５の各構成要素５００から５０８と同様のものである。実施例５と実施例２との異なる点は、実施例２において情報表示装置５００内に存在した領域切替通知部５０８が、実施例５では情報記録媒体１２０７内にある点と、情報表示装置１２００内に領域情報用メモリ１２０９を備える点である。
【００６２】
このように構成された使用領域通知装置としての情報表示装置の各ブロックについて説明する。表示制御部１２０２は表示領域を指定し、記録媒体制御部１２０３へその旨の情報を出力する。記録媒体制御部１２０３は、表示制御部１２０２から指定された領域へアクセスを行うために領域を切り替えるコマンドを発行し、情報記録媒体１２０７のコマンド受信部１２０４へ出力する。領域切替通知部１２０８では、情報記録領域１２０６中のアクセス領域が切り替わったことが通知されると、その情報をユーザに通知するものである。
【００６３】
一方、情報記録媒体１２０７のコマンド受信部１２０４は記録媒体制御部１２０３から領域切り替えのコマンドを受け取り、情報記録領域１２０６中のアクセス領域が切り替わると、情報記録媒体１２０７は情報記録装置１２００に領域が切り替わったことを通知するものである。アクセス領域判定部１２０５では、コマンド受信部１２０４で記録媒体制御部１２０３から受け取った領域切り替えのコマンドをもとにアクセス領域を判定する。情報記録媒体１２０７はアクセス領域判定部１２０５の判定結果をもとに、情報記録領域１２０６の指定された領域の情報を読み込み、情報記録媒体１２０７から情報表示装置１２００へ出力する。情報記録媒体１２０７から得られた領域の情報は、表示制御部１２０２により指定された表示方法で表示部１２０１に表示される。
【００６４】
表示制御部１２０２は、表示領域を指定し、記録媒体制御部１２０３に出力する。一連の動作により、情報記録領域の切り替えとともに、領域に係る情報が表示される。領域情報用メモリ１２０９は、情報記録媒体１２０７が情報表示装置１２００へ出力した領域情報を格納する。例えば、機器内のＲＡＭへ記録したり、ハードディスクにファイルとして格納したりする。領域情報用メモリ１２０９に格納された領域情報は、表示制御部１２０２により、指定された表示方法で表示部１２０１に表示される。
【００６５】
ここで領域切替通知部１２０８は情報記録媒体１２０７に設けられているが、情報表示装置１２００に設けてもよく、又この外部のアダプタ等に設けるようにしてもよい。この実施例５の使用領域通知装置は、図１２に示す情報表示装置１２００に加えて、領域切替通知部１２０８を含んで構成されるものとする。
【００６６】
実施例５において、情報記録媒体１２０７の情報記録領域１２０６の概念図は、実施例１、２と同様に図２を使用する。また、情報記録領域の表示例も、実施例１、２と同様に図３を使用する。
【００６７】
本発明の実施例５における使用領域通知装置及び情報記録媒体の動作を図１３のフローチャートを用いて説明する。先ず、表示制御部１２０２で、表示領域が指定され、記録媒体制御部１２０３によって情報記録媒体１２０７に対しアクセス領域の切り替え要求を出す（Ｓ１３０１）。例えば、記録情報の一覧を表示するアプリケーションで全ての情報記録領域に格納されている情報の一覧を取得するものとする。この場合には、アプリケーション内の表示制御部１２０２でＦＡＴ３２ファイルシステムを指定し、記録媒体制御部１２０３から情報記録媒体１２０７のコマンド受信部１２０４に、ＦＡＴ３２ファイルシステムにより管理される情報記録領域への切り替えコマンドを送信する。
【００６８】
情報記録媒体１２０７では、コマンド受信部１２０４がＦＡＴ３２ファイルシステムへの切り替えコマンドを受信すると、アクセス領域を切り替える（Ｓ１３０２）。アクセス領域が切り替えられると、情報記録媒体１２０７は情報記録装置１２００に領域が切り替わったことを通知する。領域切替通知部１２０８では、情報記録領域１２０６中のアクセス領域が切り替わったことが通知されると、その情報をユーザに通知する（Ｓ１３０３）。本実施例の場合、領域切替通知部１２０８は情報記録媒体１２０７に存在する。例えば、半導体メモリカードにアクセスランプを設けている場合、そのアクセスランプの点滅で切り替わったことを通知する方法が考えられる。
【００６９】
次に、アクセス領域判定部１２０５によって領域を判定し、情報記録領域１２０６のＦＡＴ３２ファイルシステムにより管理される記録領域（図２の２０２）に記録されている情報を取得すると、その情報を情報記録媒体１２０７から情報表示装置１２００へ出力する（Ｓ１３０４）。情報記録媒体１２０７から取得されたデータは、領域情報用メモリ１２０９へ格納される（Ｓ１３０５）。
【００７０】
そしてＳ１３０１からＳ１３０５の各ステップを繰り返し、情報記録領域１２０６に存在する複数の情報記録領域を切り替えながら、得られた情報を領域情報用メモリ１２０９へ格納していく。必要な繰り返しが終了すれば、Ｓ１３０６に移行する。図１４は本発明の実施例５における領域情報用メモリ１２０９の概念図である。領域情報用メモリ１２０９内には、データのファイル名と記録領域などが格納されている。Ｓ１３０６では、前記アプリケーション上に情報記録領域１２０６のデータ一覧を表示する。例えば、図３の３０１に示すように、情報が木構造で表示される。
【００７１】
次に、アプリケーション上でデータの移動操作を行うものとする（Ｓ１３０７）。Ｓ１３０８において、領域情報用メモリ１２０９の情報から移動させようとしているデータがどの情報記録領域に記録されているものであるかの情報を取得し、移動元と移動先の情報記録領域が同じファイルシステムで管理されるかどうかを判断する。移動元と移動先の情報記録領域が同じファイルシステムで管理される場合であれば、そのままＳ１３１０に進んでデータを移動する。ファイルシステムが異なる場合には、異なる情報記録領域へデータを移動させようとしているというメッセージをユーザに通知する（Ｓ１３０９）。例えば、図１４に示すようにアプリケーション上で、ＦＡＴ１６ファイルシステムで管理される情報記録領域にあるデータ２というファイルを、ＦＡＴ３２ファイルシステムで管理される情報記録領域に移動させようとすると、以下のメッセージダイアログ等を表示し、ユーザに領域情報を通知する。
「データ２はＦＡＴ１６の領域に存在するデータです。移動先はＦＡＴ３２の領域ですが、移動しますか？」
その後にユーザからの確認があれば、Ｓ１３１０に進んで、データを移動する。
【００７２】
なお、上記例ではファイルシステムとしてＦＡＴ３２とＦＡＴ１６の２つにより管理される２つの情報記録領域を備えた情報記録媒体を挙げたが、ファイルシステムとしては、この２つに限らず、ＮＴＦＳやＵＤＦ、その他独自のファイルシステムであっても構わない。また、情報記録領域も２つに限らず、複数であれば、同様のことが実現可能である。また、複数個の情報記録領域の中に同じファイルシステムで管理される領域が存在しても構わない。また、図１３に示すＳ１３０５とＳ１３０６のステップを入れ替えても良い。また、上記例では、データの移動について挙げたが、データのコピーに関しても同様にユーザに領域情報を通知することが好ましい。
【００７３】
次に図１５は実施例５の変形例である。この変形例では情報記録媒体１２１０と情報表示装置１２００との間にアダプタ１２１１が接続される。アダプタ１２１１内に領域切替通知部１２０８が設けられる。情報記録媒体１２１１はコマンド受信部１２０４、アクセス領域判定部１２０５と情報記録領域１２０６を有する。アダプタ１２１１は例えば半導体メモリを情報表示装置であるＰＣに接続するものである。この場合もアクセスする領域が切り替わったことは、アダプタに設けられる領域切替通知部１２０８によって表示することができる。
【００７４】
以上のような方法を用いることにより、異なるファイルシステムにより管理される複数の情報記録領域を有する情報記録媒体において、使用記録領域が変更されたことを通知することができる。
【００７５】
また、領域情報用メモリを備えたことで、一度情報の一覧を作成すると、データの移動やコピー時に、情報記録媒体上のデータに直にアクセスしなくてもアプリケーション上で記録されている領域と移動、コピー先の領域のファイルシステムが同じであるかを判断することができ、処理の高速化に繋がる。
【００７６】
なお、上記各実施例で説明した使用領域通知装置及び使用領域通知方法は、少なくともその一部をソフトウェアで実現可能であり、これをコンピュータ装置で読み取り可能な記録媒体に記録して、頒布などすることができる。
【００７７】
本発明にかかる情報記録媒体の使用領域通知装置および使用領域通知方法は、異なる複数のファイルシステムを必要とする情報記録媒体へのアクセスを行う場合において、ユーザが利用したい領域を選択する場合に、その情報を表示することで利便性を向上することができる。本発明はパーソナルコンピュータ、各種携帯情報端末、デジタルＡＶ機器など多岐に渡り適用できる。
【００７８】
ここでは好ましい実施例について記述しているが、当業者が思いつく種々の他の実施例や変形例は本発明の範囲及び主旨に入るものであり、そのような他の実施例や変形例は次に記述するクレームに含まれる。
【産業上の利用可能性】
【００７９】
本発明の使用領域通知装置および使用領域通知方法によれば、１つの情報記録媒体に存在する複数の情報記録領域の内容を一覧することができるので、複数の情報記録領域を有する情報記録媒体の情報の表示に係る使用領域通知装置、使用領域通知方法およびそのプログラムを記録した記録媒体に適用することができる。
【図面の簡単な説明】
【００８０】
【図１】本発明の実施例１における情報表示装置及び情報記録媒体の構成を示すブロック図である。
【図２】実施例１における情報記録領域の概念図である。
【図３】実施例１における情報記録領域の表示例を示す概念図である。
【図４】実施例１における使用領域通知装置の動作を示すフローチャートである。
【図５】実施例２における情報表示装置及び情報記録媒体の構成を示すブロック図である。
【図６】実施例２における使用領域通知装置の動作を示すフローチャートである。
【図７】実施例２における情報記録領域の表示例を示す概略図である。
【図８】実施例３における情報表示装置及び情報記録媒体の構成を示すブロック図である。
【図９Ａ】実施例３における情報記録領域の概念図である。
【図９Ｂ】実施例４における情報記録領域の概念図である。
【図９Ｃ】実施例５における情報記録領域の概念図である。
【図１０】実施例３における情報記録領域の表示例を示す概念図である。
【図１１】実施例４における使用領域通知装置の動作を示すフローチャートである。
【図１２】実施例５における情報表示装置及び情報記録媒体の構成を示すブロック図である。
【図１３】実施例５における情報記録領域の概念図である。
【図１４】実施例５における領域情報用メモリの概念図である。
【図１５】実施例５の変形例における情報表示装置及び情報記録媒体の構成を示すブロック図である。
【符号の説明】
【００８１】
１００，５００，８００，１２００  情報表示装置
１０１，５０１，８０１，１２０１  表示部
１０２，５０２，８０２，１２０２  表示制御部
１０３，５０３，８０３，１２０３  記録媒体制御部
１０４，５０４，８０４，１２０４  コマンド受信部
１０５，５０５，８０５，１２０５  アクセス領域判定部
１０６，２０３，５０６，８０６，１２０６  情報記録領域
１０７，５０７，８０８，１２０７  情報記録媒体
５０８，１２０８  領域切替通知部
１２０９  領域情報用メモリ
【図１】
2005182770.tif 000003
【図２】
2005182770.tif 000004
【図３】
2005182770.tif 000005
【図４】
2005182770.tif 000006
【図５】
2005182770.tif 000007
【図６】
2005182770.tif 000008
【図７】
2005182770.tif 000009
【図８】
2005182770.tif 000010
【図９Ａ】
2005182770.tif 000011
【図９Ｂ】
2005182770.tif 000012
【図９Ｃ】
2005182770.tif 000013
【図１０】
2005182770.tif 000014
【図１１】
2005182770.tif 000015
【図１２】
2005182770.tif 000016
【図１３】
2005182770.tif 000017
【図１４】
2005182770.tif 000018
【図１５】
2005182770.tif 000019